(57)【特許請求の範囲】
【請求項１】
座枠の内側に形成された開口にメッシュ地等の張地を張設することで座を構成するとともに、
座を固定して支持するための座受フレームを脚支柱から前側及び後側に向け、側方かつ徐々に上方に持ち出すように形成することで、脚支柱の上端と座との間で立体的な空間を形成しており、
前記座枠の内側の張地が上載荷重を受けて撓むことにより前記立体的な空間内に沈み込むように構成していることを特徴とする椅子。
【請求項２】
座枠の内側に形成された開口にメッシュ地等の張地を張設することで座を構成するとともに、
座受フレームを脚支柱から前側及び後側に向け、側方かつ徐々に上方に持ち出すように形成することで、脚支柱の上端と座との間で立体的な空間を形成し、
前記座の前下方、左右の横下方及び後下方には、それぞれフレーム等の存しない開放空間を形成しており、
前記座枠の内側の張地が上載荷重を受けて撓むことにより前記立体的な空間内に沈み込むように構成していることを特徴とする椅子。
【請求項３】
前記脚支柱が昇降機構を備えるとともに、操作レバーを介して前記昇降機構を操作するための作動部を前記脚支柱の上端に設けており、前記開放空間を通じて操作レバーを側方に延出するよう配置していることを特徴とする請求項２に記載の椅子。
【請求項４】
前記作動部を覆うカバーを前記脚支柱に設けており、当該カバーを前記開放空間を通じて着脱可能にしていることを特徴とする請求項３に記載の椅子。
【請求項５】
前記脚支柱が上端に拡径部を有しており、当該拡径部に接続することで前記座受フレームが前記脚支柱に接続していることを特徴とする請求項１〜４のいずれかに記載の椅子。
【請求項６】
前記脚支柱を脚羽根に対して回転可能に支持していることを特徴とする請求項１〜５のいずれかに記載の椅子。
【発明の詳細な説明】
【技術分野】
【０００１】
本発明は、オフィスや家庭等において好適に利用される椅子に関するものである。
【背景技術】
【０００２】
脚支柱によって座を支持するタイプの椅子は、例えば特許文献１等に示されるように、脚支柱の上端にブロックやリンク等を用いた座受けを形成し、この座受けの直上に座を支持するようにしているのが通例である。
【先行技術文献】
【特許文献】
【０００３】
【特許文献１】特開平８−１００８５号公報
【発明の概要】
【発明が解決しようとする課題】
【０００４】
ところで、近時の椅子には、背や座に開口を設けてメッシュ地等の張地を張設することでより撓み易くし、サポート感を良好にした椅子も考えられており、このようなタイプの椅子は、４本の固定脚で座枠を支持する構造が通例である。すなわち、上記特許文献１のような脚支柱タイプの椅子は座裏面中央部を座受けで支持しているため、一般にそのような張地構造を採用することができない。
【０００５】
本発明は、このような課題に着目してなされたものであって、座を脚支柱に支持させる上で不可欠となる座受け部分に改良工夫を施すことにより、このような脚支柱タイプの椅子においても撓み易い座を有効に採用できるようにすることを目的としている。
【課題を解決するための手段】
【０００６】
本発明は、かかる目的を達成するために、次のような手段を講じたものである。
【０００７】
すなわち、本発明の椅子は、座枠の内側に形成された開口にメッシュ地等の張地を張設することで座を構成するとともに、座を固定して支持するための座受フレームを脚支柱から前側及び後側に向け、側方かつ徐々に上方に持ち出すように形成することで、脚支柱の上端と座との間で立体的な空間を形成しており、前記座枠の内側の張地が上載荷重を受けて撓むことにより前記立体的な空間内に沈み込むように構成していることを特徴とする。
【０００８】
また、本発明の椅子は、座枠の内側に形成された開口にメッシュ地等の張地を張設することで座を構成するとともに、座受フレームを脚支柱から前側及び後側に向け、側方かつ徐々に上方に持ち出すように形成することで、脚支柱の上端と座との間で立体的な空間を形成し、前記座の前下方、左右の横下方及び後下方には、それぞれフレーム等の存しない開放空間を形成しており、前記座枠の内側の張地が上載荷重を受けて撓むことにより前記立体的な空間内に沈み込むように構成していることを特徴とする。
【０００９】
また、前記脚支柱が昇降機構を備えるとともに、操作レバーを介して前記昇降機構を操作するための作動部を前記脚支柱の上端に設けており、前記開放空間を通じて操作レバーを側方に延出するよう配置することが好適であり、前記作動部を覆うカバーを前記脚支柱に設けており、当該カバーを前記開放空間を通じて着脱可能に構成することがより好適である。
【００１０】
また、前記脚支柱が上端に拡径部を有しており、当該拡径部に接続することで前記座受フレームが前記脚支柱に接続するように構成することが好適である。
【００１１】
さらに、前記脚支柱を脚羽根に対して回転可能に支持するように構成することが好適である。
【発明の効果】
【００１２】
本発明は、以上説明した構成であるから、座を脚支柱に支持させる上で不可欠となる座受け部分で座の撓みを許容することができ、メッシュ等を採用した撓み易い座を有効に構成することが可能となる。
【図面の簡単な説明】
【００１３】
【図１】本発明の一実施形態に係る椅子を示す斜視図。
【図２】同正面図。
【図３】同左側面図。
【図４】同縦断面図。
【図５】同実施形態の拡径基部の内部構造を示す斜視図。
【図６】同実施形態に係る椅子のメッシュ地を省略し脚支柱の上端カバーを外した状態の平面図。
【図７】同実施形態に係る椅子の底面図。
【図８】図４の分解図。
【図９】同実施形態に係る椅子本体の分解斜視図。
【図１０】背枠の開口にメッシュ地が嵌め込まれている状態を示す断面図。
【図１１】座枠の開口にメッシュ地が嵌め込まれている状態を示す断面図。
【図１２】同実施形態に係る椅子の平面図。
【図１３】本発明の変形例を示す図。
【図１４】本発明の他の実施形態を示す底面図。
【図１５】同右側面図。
【図１６】同縦断面図。
【図１７】同左側面図。
【発明を実施するための形態】
【００１４】
以下、本発明の一実施形態を、図面を参照して説明する。
【００１５】
この実施形態の椅子は、図１〜図３に示すように、座１、背２及び肘掛け７からなる椅子本体Ａを、脚体Ｂより立ち上げた座受構造体４に支持させてなるものである。
【００１６】
具体的に説明すると、脚体Ｂは、等角位置から放射状に延び先端にキャスター５ａを備えた５本の脚羽根５の中心部に脚支柱３を回転可能に支持させてなるもので、脚支柱３は支柱本体３１の上端に拡径部である拡径基部３２を有し、支柱本体３１から拡径基部３２に亘る内部に図４に示すようなガススプリング式の昇降機構６を組み込んでいる。拡径基部３２は、図４及び図５に示すように、カバー３２ａを取り除いた状態でお碗状の空洞３２ｂが開口し、底壁３２ｃには中心部付近から放射状に延びるリブ３２ｄが立設してあり、リブ３２ｄの上方には空洞３２ｂ内に手指を差し込める程度の内空が存在している。中心部には、突没動作によって昇降機構６をロック／ロック解除する作動部６１が収容され、この作動部６１を開閉させる位置に操作部たる操作レバー６２が拡径基部３２の一部に設けた切欠３２ｘを通して放射方向に引き出されるとともに、支軸ｍ回りに上下回動操作可能に枢着されている。前記カバー３２ａはこの操作レバー６２と干渉しない状態で作動部６１を含めて空洞３２ｂを蓋封している。操作レバー６２は引き上げることにより作動子６１を没入させて昇降機構６をフリーにし、引き上げ操作を解除することにより突出して昇降機構６をロックするものである。
【００１７】
そして、脚支柱３から上方に向けて、座受構造体４を構成する４本の座受フレーム４１を立ち上げ、それらの座受構造体４１の先端に座１を支持させている。座受フレーム４１は、水平部４１ａと鉛直部４１ｂを一体成形により連設したもので、水平部４１ａは基端が拡径基部３２の側面に接続され、そこから前側及び後側に向け、側方に引き出されて脚支柱３の中心部より漸次離れる方向に徐々に上方に湾曲しつつ持ち出されており、平面視すれば図６に示すように座枠１２の内側に配されている脚支柱３から放射方向に延びている。座１への上載荷重は中心よりも後方に掛かり、これに対応して脚支柱３が位置づけられている関係上、脚支柱３から座１の四隅に延びる座受フレーム４１のうち前２つの座受フレーム４１（ｘ）は後２つの座受フレーム４１（ｙ）よりも長く設定してある。鉛直部４１ｂは、図４に示すように水平部４１ａに滑らかに連設されて、先端で座１の縁部、具体的には図７に示すように四隅における下面１ａ、１ｂを支持している。この鉛直部４１ｂには、図８に示すように延出方向に沿って内部にねじ挿通部４１ｃが設けられ、このねじ挿通部４１ｃが水平部４１ａと鉛直部４１ｂの交叉部において下方に開口している。座受フレーム４１の横断面は、図２〜図４等に示すように、延出方向に沿った任意の位置で平均的な体格の大人がちょうど握り締められる程度の扁平な長円状をなしている。
【００１８】
このように座受フレーム４１が座１の四隅に向かって放射状に延びていることから、図７に示す座１の下方であって相隣接する座受フレーム４１、４１間に位置する部位、具体的には座１の前下方、左右の横下方及び後下方にそれぞれ位置する底面視略三角形状の領域Ａ１、Ａ２、Ａ３がフレーム等の存しない開放空間となる。そして、本実施形態はこれらを操作部を配置する機能調整空間とし（以下、上記領域と同じ符号Ａ１、Ａ２、Ａ３を用いる）、着座位置からみて右下方に位置する機能調整空間Ａ２に前記操作レバー６２を配置している。
【００１９】
一方、椅子本体Ａは、図１、図３及び図９等に示すように座１、背２及び肘掛け７からなり、背支桿を用いずに座受構造体４に支持されるもので、当該座１の下面には、前記各座受フレーム４１の対応位置に図７及び図８に示すようにナット部材をインサートしてなるねじ締着部１１が垂下させて設けてある。そして、座受フレーム４１の上端に座１を載せ置き、座受フレーム４１のねじ挿通部４１ｃに下方から挿通したねじＶ１を座１に設けたねじ締着部１１に締着することによって、座受フレーム４１に座１を取り付けている。
【００２０】
すなわち、この椅子は、座受構造体４を構成する各座受フレーム４１の先端部同士を座枠１２の各辺で略直線状に強固に連結する構造であり、座受フレーム４１と座枠１２によって立体的に閉じたフレーム構造をなしている。これによって、各座受フレーム４１と座枠１２を比較的細く形成しても、全体として強度を確保することができ、着座時の衝撃や体重によって各部が変形するようなこともない。
【００２１】
図１及び図９等に示すように、座１は座枠１２の内側の開口１２ａに張地としてのメッシュ地１３を張設して構成され、背２は背枠２２の内側の開口２２ａにメッシュ地２３を張設して構成されたもので、座枠１２と背枠２２の間を補強する位置に設けた縦リブを肘フレーム７１として使用可能なまでに大きく迫り出させて肘掛け７とし、座枠１２、背枠２２及び当該肘フレーム７１を三次元的に連なった状態で樹脂一体成形している。
【００２２】
具体的には、図１及び図２に示すように、背枠２２のうち最も前方に突出しているランバー対応部２２ａよりも上方に反り返っている有効支持部２２ｂと座枠１２とが略同幅に設定してあり、背枠２２のランバー対応部２２ａよりも下方にいくにつれて奥まった部位に位置する臀部（でんぶ）対応部２２ｃを下方に向けて徐々に括れさせ、背座境界部Ｘの幅を背枠２２の有効支持部２２ｂ及び座枠１２よりも幅狭に設定している。そして、背枠２２から前側方に肘フレーム７１の後端７１ａを持出し、座枠１２から上側方に肘フレーム７１の前端７１ｂを持出して、これら肘フレーム７１、座枠１２及び背枠２２によって形成される開口７ａの周縁が二次元平面内に収まらず三次元的に湾曲しているように樹脂一体成形している。つまり、開口７ａは図３の側面から見えるだけでなく、図２の正面からも見え、図６の平面や図７の底面からも見える。背座境界部Ｘは図８に示すように縦断面前向きＵ字状をなし、この縦断面が臀部に沿って平面視前向き凹状となるように緩やかに湾曲しながら三次元形状をなすように連続している。また、座１の前端には前垂れ部１５が設けてある。この前垂れ部１５は図４に示す縦断面視において概略逆Ｌ字状をなすように座１に連設されたもので、その縦断面が座１の前縁に沿って図７に示すように底面視前向き突状となるように緩やかに湾曲しながら三次元形状をなすように連続している。
【００２３】
肘フレーム７１の後端７１ａは、図１及び図２に示すように小口が背枠２２の小口と連続するようにランバー対応部２２ａと略同じ高さ位置から引き出してあり、背２は平面視前向き凹状に湾曲していて、背枠２２の小口が前側方を向いていることから、肘フレーム７１の後端７１ａも背枠２２から前側方に引き出された後に緩やかに湾曲しながら前方に迫り出す形態をなしている。また、当該肘フレーム７１の前端７１ｂは、小口が座枠１２の小口と連続するように引き出してあり、座枠１２は正面視においてわずかに上向き凹状をなしていて小口が水平よりやや上側方を向いていることから、肘フレーム７１の前端７１ｂも座枠１２から水平よりやや上側方に引き出された後に緩やかに湾曲しながら上方に立ち上がる形態をなす。そして、背枠２２から迫り出した部分と座枠１２から立ち上がった部分が何れも肘フレーム７１の前後方向に水平に延びる上端へと連続している。これらの肘フレーム７１はリブとして見るときには座枠１２に対しても背枠２２に対しても縦リブとなる。そして、この肘フレーム７１の上端に、水平部７１ｃを滑らかに折り曲げて連設している。
【００２４】
この椅子本体Ａの成形時における母型の割り方向は、前後方向と上下方向の略中間となる４５度の方向（図３における矢印Ｚ参照）に設定されている。
【００２５】
そして、図１及び図９に示すように、座枠１２の内側及び背枠２２の内側にそれぞれ存する開口１２ａ、２２ａに、着座面を形成するための別部材であるメッシュ地１３、２３を枠材１４、２４を介して嵌め込んでいる。
【００２６】
背枠２２の開口縁には、図９及び図１０に示すように、前面に枠材取付面１２２ａを有し、背面に板状体が嵌る溝１２２ｂを有する枠材取付部１２２が設けてあり、この枠材取付部１２２の前面にメッシュ地２３を巻き込んだ取付枠１２０を嵌め込み、背面から背枠２２の枠材取付部１２２に挿通したねじＶ２を取付枠１２０に締着するとともに、そのねじＶ２を覆う位置に化粧枠１２１を嵌め込むようにしている。取付枠１２０には、メッシュ地２３が荷重を受けて撓む方向に漸次開口幅を狭めながら湾曲する固定支持面１２０ａが形成されている。
【００２７】
また、座枠１２の開口縁には、図９及び図１１に示すように、上面に枠材取付面１１２ａを有する枠材取付部１１２が設けてあり、この枠材取付部１１２の上面にメッシュ地１３を巻き込んだ取付枠１１０を嵌め込み、下面から座枠１２に挿通したねじＶ３を取付枠１１０に締着するようにしている。取付枠１１０には、メッシュ地１３が荷重を受けて撓む方向に漸次開口幅を狭めながら湾曲する固定支持面１１０ａを形成している。
【００２８】
本実施形態は、以上のようにして図１に示す椅子の体をなしているものであり、図４及び図８に示す座受フレーム４１の鉛直部４１ｂと座枠１２から垂下させたねじ締着部１１とを加えた寸法ｄが少なくとも脚支柱３の上端と座１との間に立体的な空間Ｓを形成し、座１は上載荷重を受けて図４に破線で示すように撓むことにより前記空間Ｓ内に沈み込むことができる。この空間Ｓは同時に、少なくとも人が着座していない状態で作業者が手指を差し込み必要に応じ工具等を使ってカバー３２ａの着脱を行うことのできる大きさをなし、座受構造体４がこのような座受フレーム４１からなるフレーム構造であることと相まって、前記空間Ｓに前後左右いずれの方向からでも手指をアクセスしてカバー３２ａを着脱し、内部の作動部６１等のメンテナンスを行うことができるものである。
【００２９】
また、この椅子は、座１の下方に位置する座受構造体４が、複数の座受フレーム４１を有しその中心部に作動部６１を配置したものであり、座１は座受フレーム４１の上に載置されてねじＶ１のみによって座受フレーム４１に固定されるだけであるため、必要であればねじＶ１を外して図８のように座受構造体４から座１を分離させ、更にカバー３２ａを外せば作動部６１を表出させてメンテナンスを行うこともできる。或いは、座１は図７に示すように４点で各座受フレーム４１にねじＶ１で固定されているため、１本のねじＶ１のみを残して他のねじＶ１を外せば、図４や図８に示すように各座受フレーム４１の先端は略同一高さ位置にあってこの座受構造体４に対して座１を水平旋回させることも可能であり、これによっても作動部６１を表出させることができる。この場合、座１は水平旋回した位置で座受構造体４の適宜の座受フレーム４１に水平に担持されるため、手で担持せずとも作動部６１等に対するメンテナンス作業を行うことが可能である。
【００３０】
このような椅子を視覚的な観点から見ると、座枠１２の内側に張設されたメッシュ地１３が半透明の領域を形成し、その下方にブロック状の座受やシェル等を備えておらず、座面には図１２に示すように座受構造体４を構成する座受フレーム４１や脚羽根５が基部から放射状に延びている状態がシルエット状に視認される。
【００３１】
このように、座枠１２の内側が半透明な領域であると、図７の機能調整空間Ａ１〜Ａ３に操作部を配置した場合にその略全容が図１２に示す上方から当該操作部の位置や数のみならず機能の概要とともに視認可能となる。この実施形態では、着座状態で右下方に位置する機能調整空間Ａ２に昇降機構の操作レバー６２を配置しているのみであるため、離着席時に操作レバー６２が１箇所だけであること、それが上述したように着座状態で右下方に位置していること、操作レバー６２が脚支柱３１の上端から放射状に延出していてガススプリング式の昇降機構６の操作を行うものであること等は容易に推認される。また、図７に示す他の機能調整空間Ａ１、Ａ３に操作部があれば図１２の上方からそれらも同時に視認できるため、操作部がいくつあるか、それがどの位置に存するか、どのような機能の操作部であるか、或いはその操作方法はどのようなものであるか等を、シルエットを通して容易に推認することが可能なものである。
【００３２】
以上のように、本実施形態は、脚支柱３から上方に向けて、内部に立体的な空間Ｓを作るように座受構造体４を立ち上げ、その座受構造体４の先端に座１を構成する座枠１２の各辺の両端部を支持させ、座１は座枠１２の内側が上載荷重を受けて撓むことにより前記空間Ｓ内に沈み込むように構成したものである。
【００３３】
すなわち、従来のメッシュ地の会議用椅子は、４本の固定脚で支えているので回転しない。回転するためには脚支柱３を設ける必要があるが、脚支柱３を供えた椅子は座裏面中央部を座受けで支持しているため、一般にそのような張地構造を採用することができないものであった。これに対して、本実施形態のものは、脚支柱３から立ち上がって座受けとして機能する座受構造体４が内部に立体的な空間Ｓを有し、座１は撓むことによりこの空間Ｓ内に沈み込むことができるため、座受構造体４と座１の間に撓みしろを確保せずとも座受構造体４と干渉することがない。しかも、座１の周縁部で荷重を受けるので、偏った上載荷重に対しても強度を発揮し易い構造にすることができる。さらに、座受構造体４と座枠１２の各辺の端部とが閉じた状態となるので、全体として強度を確保することができ、着座時の衝撃や体重によって各部が変形するようなことも有効に防止することが可能となる。
【００３４】
また、座受構造体４は多数の座受フレーム４１を座１の縁部に向けて立ち上げたものであり、各座受フレーム４１の先端部同士を座枠１２の各辺で略直線状に連結して、座受フレーム４１と座枠１２によって立体的に閉じたフレーム構造をなしているため、これらの座受フレーム４１で分散支持することにより、細い座受フレーム４１でも強度を有効に確保できるようになる。このため、座受フレーム４１を構成する際の材料を少なくすることができ、また座１の下方の重厚感をなくして軽快な視覚的効果を得ることが可能となる。
【００３５】
特に、脚支柱３の上端に拡径基部３２を設け、この拡径基部３２より座受フレーム４１の基端を側方に引き出して座１の縁部を支持させ、かつ拡径基部３２内を作動体６１等の機構部品を収容する空洞３２ｂとして利用しているため、当該座受フレーム４１の必要以上の長寸化を回避できて強度確保につながると同時に、拡径基部３２内に機構部品の収納場所も有効に確保することができる。
【００３６】
また、この椅子を別の観点から見れば、座受フレーム４１の上端に座を載せ置き、座受フレーム４１の一部に挿通したねじＶ１を座１に締着するようにしたものであり、座１の下面にねじ締着部１１を垂下させて設けるとともに、座受フレーム４１の先端にねじ挿通部４１ｃを立ち上げて設け、少なくともねじ挿通部４１ｃ及びねじ締着部１１を加えた寸法が空間Ｓの深さを構成している。
【００３７】
このため、座枠１２自体、あるいは座受フレーム４１自体が扁平であってもねじＶ１の止着しろを確保することができ、同時に、座１の撓みを許容する空間Ｓも有効に形成することができる。
【００３８】
特に、ねじ挿通部４１ｃが座受フレーム４１の先端の延出方向に沿って設けられたものであるため、ねじ挿通部４１ｃの有効寸法を十分長くとっても、座受フレーム４１の横断面（厚み）が大きくなることを有効に回避することができる。
【００３９】
この際、座受フレーム４１を構成する水平部４１ａと鉛直部４１ｂの交叉部においてねじ挿通部４１ｃを下方に開口させているため、その交叉部において鉛直部４１ｂ内のねじ挿通部４１ｃを自然に外部に表出させてねじＶ１の挿脱口とすることができ、ねじＶ１の挿脱容易なものとなる。
【００４０】
本実施形態は、以上のような構成であるから、座１に撓みの大きいメッシュ地１３を採用しても支障なく快適に使用することが可能となる。
【００４１】
なお、各部の具体的な構成は、上述した実施形態のみに限定されるものではない。
【００４２】
例えば、座の撓みしろを確保する構造としては、図示例のものに限らず、例えば図１３に示すようなボックス状の座受構造体１０４を用いて内側に空間Ｓを形成してもよいし、図１４〜図１７に示すように３本の座受フレーム４１、４１、１４１で空間Ｓを構成するようにしたもの等であっても構わない。
【００４３】
後者について説明すると、この椅子は、平面視（或いは底面視）斜め前方に放射状に延びる前２本の座受フレーム４１（ｘ）と、真っ直ぐ後方に放射状に延びて座枠１２の後方における幅方向中央部の下面を支持する座受フレーム１４１とを具備し、この座受フレーム１４１がロッキングの反力機構を兼ねている。
【００４４】
すなわち、この椅子の座１は、前方２隅の下面が前支軸ｐを介して前２本の座受フレーム４１（ｘ）に枢着されるとともに、後方下面が後支軸ｑを介して座受フレーム１４１に枢着されており、着座者が背２に凭れると、座１が前支軸ｐ回りに回動して後方が沈み込む構造になっている。
【００４５】
そして、これを受ける座受フレーム１４１は、ガススプリング１４１ａと、このガススプリング１４１ａの軸心回りに配置されて当該ガススプリング１４１ａの圧縮動作に連動して圧縮されるロッキングバネ１４１ｂとを具備し、ガススプリング１４１ａの一端は図１６に示すように拡径基部３２内に差し込まれてロッキングバネ１４１ｂとともにリテーナ１４１ｃに支持されている。ガススプリング１４１ａの作動部１４０ｘはこのリテーナ１４１ｃを貫通した位置に配置され、通常時は操作レバー１６２の内方端に設けた押圧子１６２ａが図１６の位置から作動子１４０ｘを押圧し得る位置にまで回転して保持され、ガススプリング１４１ａの開放状態を保っている。そして、操作レバー１６２を回転操作することにより、押圧子１６２ａを図１６のように作動子１４０ｘから遠ざけて、所要のロッキング位置に固定できるようになっている。勿論、この操作レバー１６２は前記実施形態の操作レバー６２と同様、引き上げることにより作動子６１を没入させて昇降機構６をフリーにし、引き上げ操作を解除することにより突出してその際の昇降位置にロックする役割を兼ねるものである。
【００４６】
また、この椅子にはロッキングの反力調整機構が付帯させてある。図１４及び図１５に示す操作杆２６２は回転動作により反力調整を行うための操作部で、この操作杆２６２を回転操作して拡径基部３２内に設けた図示しない楔部材を図１６における紙面垂直方向にねじ送りし、これによりリテーナ１４１ｃをバネ１４１ｂの圧縮方向又は伸張方向に移動させて、反力を増大又は減少させ得るようにしている。
【００４７】
このため、一定以上のロッキング動作を禁止する適宜のストッパ（図示せず）が設けてあり、ロッキング機能を備えつつも、脚支柱３の上端と座１との間に撓みしろとなる所定の空間Ｓを確保することができるようになっている。
【００４８】
その他の構成も、本発明の趣旨を逸脱しない範囲で種々変形が可能である。
【００４９】
例えば、メッシュ地に変えてアクリル等で透明ないし半透明の座面を構成しても、視覚的には上記と同様の効果が奏される。
【符号の説明】
【００５０】
１…座
４…座受構造体
１１…ねじ締着部
１２…座枠
１２ａ…開口
１３…メッシュ地
３１…脚支柱
３２…拡径部（拡径基部）
３２ｂ…空洞
４１…座受フレーム
４１ａ…水平部
４１ｂ…鉛直部
４１ｃ…ねじ挿通部
ｄ…寸法
Ｓ…空間
Ｖ１…ねじ
【図１】
0005490175.tif 000002
【図２】
0005490175.tif 000003
【図３】
0005490175.tif 000004
【図４】
0005490175.tif 000005
【図５】
0005490175.tif 000006
【図６】
0005490175.tif 000007
【図７】
0005490175.tif 000008
【図８】
0005490175.tif 000009
【図９】
0005490175.tif 000010
【図１０】
0005490175.tif 000011
【図１１】
0005490175.tif 000012
【図１２】
0005490175.tif 000013
【図１３】
0005490175.tif 000014
【図１４】
0005490175.tif 000015
【図１５】
0005490175.tif 000016
【図１６】
0005490175.tif 000017
【図１７】
0005490175.tif 000018